(57)【要約】【課題】軽量化を図ると共に、配索経路の制限を受け難く、且つ、ワイヤーハーネスの組み付け性や加工性の低下を抑制することが可能なワイヤーハーネスを提供する。【解決手段】ワイヤーハーネス１は、２つのジャンクションボックス１０と、多重通信を行うための２つの制御基板ＣＳと、バッテリＢからジャンクションボックス１０に対して電力を供給する第１電源線３１ａと、ジャンクションボックス１０から各種機器Ｅに対して電力供給するための第２電源線３１ｂと、制御基板ＣＳと各種機器Ｅとの間で信号伝達を行う信号線３２ａと、制御基板ＣＳ間に設けられ、制御基板ＣＳによって多重通信が行われる電線である幹線３２ｂと、を備え、第１電源線３１ａ、第２電源線３１ｂ、信号線３２ａ及び幹線３２ｂの少なくとも一部はアルミニウムを含む導体により構成されている。【選択図】図１
2016110811.tif 000002
【特許請求の範囲】
【請求項１】
バッテリからの電力を各種機器に供給すると共に、前記各種機器同士で信号を伝達するワイヤーハーネスであって、
車両の左右に離間して設けられる２つのジャンクションボックスと、
前記２つのジャンクションボックスの内部又は外部に設けられ、多重通信を行うための２つの制御機器と、
前記バッテリから前記２つのジャンクションボックスに対して電力を供給する第１電源線と、
前記２つのジャンクションボックスから前記各種機器に対して電力供給するための第２電源線と、
前記２つの制御機器と前記各種機器との間で信号伝達を行う信号線と、
前記２つの制御機器間に設けられ、当該２つの制御機器によって多重通信が行われる電線である幹線と、を備え、
前記第１電源線、前記第２電源線、前記信号線及び前記幹線の少なくとも一部はアルミニウムを含む導体により構成されている
ことを特徴とするワイヤーハーネス。
【請求項２】
前記第１電源線、及び前記第２電源線からなる電源線群を構成する電線の少なくとも一部は、アルミニウムを含む導体により構成され、
前記信号線及び前記幹線からなる信号線群を構成する電線の少なくとも一部は、アルミニウムを含む導体により構成されている
ことを特徴とする請求項１に記載のワイヤーハーネス。
【請求項３】
前記第１電源線、及び前記第２電源線からなる電源線群を構成する電線の少なくとも一部は、アルミニウムを含む導体により構成され、
前記信号線及び前記幹線からなる信号線群を構成する電線は、アルミニウムを含まない導体により構成されている
ことを特徴とする請求項１に記載のワイヤーハーネス。
【請求項４】
前記第１電源線、及び前記第２電源線からなる電源線群を構成する電線は、アルミニウムを含まない導体により構成され、
前記信号線及び前記幹線からなる信号線群を構成する電線は、アルミニウムを含む導体により構成されている
ことを特徴とする請求項１に記載のワイヤーハーネス。
【請求項５】
前記２つの制御機器は、前記２つのジャンクションボックスの外部に設けられ防水機能を有するＥコネクタ内に設けられている
ことを特徴とする請求項２又は請求項４のいずれかに記載のワイヤーハーネス。
【発明の詳細な説明】
【技術分野】
【０００１】
本発明は、ワイヤーハーネスに関する。
【背景技術】
【０００２】
近年、電線の導体を、アルミニウム又はアルミニウム合金とするワイヤーハーネスが提案されている（例えば特許文献１参照）。このワイヤーハーネスによれば、導体をアルミニウム又はアルミニウム合金とするため、導体に銅を用いる場合と比較して、軽量化を図ることができる。
【先行技術文献】
【特許文献】
【０００３】
【特許文献１】特開２００９−１７０１７７号公報
【発明の概要】
【発明が解決しようとする課題】
【０００４】
しかし、銅の導電率が１００％ＩＡＣＳであるのに対して、アルミニウムの導電率は６１％ＩＡＣＳしかない。このため、特許文献１に記載の発明のように、導体を銅からアルミニウム又はアルミニウム合金に変更する場合には、導体の断面積を大きくする必要があり、ワイヤーハーネスの径が大きくなってしまう。そして、ワイヤーハーネスの径が大きくなってしまうと、ワイヤーハーネスの配索経路に制限を受けたり、ワイヤーハーネスの組み付け性や加工性の低下を招いたりしてしまう。
【０００５】
本発明はこのような従来の課題を解決するためになされたものであり、その目的とするところは、軽量化を図ると共に、配索経路の制限を受け難く、且つ、ワイヤーハーネスの組み付け性や加工性の低下を抑制することが可能なワイヤーハーネスを提供することにある。
【課題を解決するための手段】
【０００６】
本発明のワイヤーハーネスは、バッテリからの電力を各種機器に供給すると共に、前記各種機器同士で信号を伝達するワイヤーハーネスであって、車両の左右に離間して設けられる２つのジャンクションボックスと、前記２つのジャンクションボックスの内部又は外部に設けられ、多重通信を行うための２つの制御機器と、前記バッテリから前記２つのジャンクションボックスに対して電力を供給する第１電源線と、前記２つのジャンクションボックスから前記各種機器に対して電力供給するための第２電源線と、前記２つの制御機器と前記各種機器との間で信号伝達を行う信号線と、前記２つの制御機器間に設けられ、当該２つの制御機器によって多重通信が行われる電線である幹線と、を備え、前記第１電源線、前記第２電源線、前記信号線及び前記幹線の少なくとも一部はアルミニウムを含む導体により構成されていることを特徴とする。
【０００７】
本発明のワイヤーハーネスによれば、第１電源線、第２電源線、信号線及び幹線の少なくとも一部はアルミニウムを含む導体によって構成されているため、軽量化を図ることができる。ここで、ワイヤーハーネスにアルミニウムを含む導体を用いることによって径の増大が懸念されるが、通常では各種電線が集合する幹線において多重通信を行うことにより回路数を減らして径の増大を抑えることができる。これにより、配索経路の制限を受け難く、且つ、ワイヤーハーネスの組み付け性や加工性の低下を抑制することができる。
【０００８】
また、本発明のワイヤーハーネスにおいて、前記第１電源線、及び前記第２電源線からなる電源線群を構成する電線の少なくとも一部は、アルミニウムを含む導体により構成され、前記信号線及び前記幹線からなる信号線群を構成する電線の少なくとも一部は、アルミニウムを含む導体により構成されていることが好ましい。
【０００９】
このワイヤーハーネスによれば、電源線群と信号線群とのそれぞれの少なくとも一部がアルミニウムを含む導体により構成されている。ここで、電源線群を構成する電線は、信号線群を構成する電線よりも一本の径が大きいため、アルミニウムを含む導体により構成した場合には、元々径の大きい電線の径が更に大きくなってしまい、配索経路の制限を受け易くなってしまうが、各種電線が集合する幹線において多重通信を行うことにより回路数を減らして径の増大を抑えることができる。さらに、信号線群を構成する電線は、電源線群を構成する電線よりも本来的に回路数が多いため、アルミニウムを含む導体により構成した場合には、径が増大した電線が束ねられて一層径が大きくなってしまい、配索経路の制限を受け易くなってしまうが、各種電線が集合する幹線において多重通信を行うことにより回路数を減らして径の増大を抑えることができる。よって、配索経路の制限を受け難く、且つ、ワイヤーハーネスの組み付け性や加工性の低下を抑制することができる。
【００１０】
また、本発明のワイヤーハーネスにおいて、前記第１電源線、及び前記第２電源線からなる電源線群を構成する電線の少なくとも一部は、アルミニウムを含む導体により構成され、前記信号線及び前記幹線からなる信号線群を構成する電線は、アルミニウムを含まない導体により構成されていることが好ましい。
【００１１】
このワイヤーハーネスによれば、電源線群を構成する電線の少なくとも一部のみがアルミニウムを含む導体により構成されている。ここで、電源線群を構成する電線は、信号線群を構成する電線よりも一本の径が大きいため、アルミニウムを含む導体により構成した場合には、元々径の大きい電線の径が更に大きくなってしまい、配索経路の制限を受け易くなってしまうが、各種電線が集合する幹線において多重通信を行うことにより回路数を減らして径の増大を抑えるため、配索経路の制限を受け難く、且つ、ワイヤーハーネスの組み付け性や加工性の低下を抑制することができる。
【００１２】
また、本発明のワイヤーハーネスにおいて、前記第１電源線、及び前記第２電源線からなる電源線群を構成する電線は、アルミニウムを含まない導体により構成され、前記信号線及び前記幹線からなる信号線群を構成する電線は、アルミニウムを含む導体により構成されていることが好ましい。
【００１３】
このワイヤーハーネスによれば、信号線群を構成する電線の少なくとも一部のみがアルミニウムを含む導体により構成されている。ここで、信号線群を構成する電線は、電源線群を構成する電線よりも本来的に回路数が多いため、アルミニウムを含む導体により構成した場合には、径が増大した電線が束ねられて一層径が大きくなってしまい、配索経路の制限を受け易くなってしまうが、各種電線が集合する幹線において多重通信を行うことにより回路数を減らして径の増大を抑えるため、配索経路の制限を受け難く、且つ、ワイヤーハーネスの組み付け性や加工性の低下を抑制することができる。
【００１４】
また、本発明のワイヤーハーネスにおいて、前記２つの制御機器は、前記２つのジャンクションボックスの外部に設けられ防水機能を有するＥコネクタ内に設けられているが好ましい。
【００１５】
このワイヤーハーネスによれば、２つの制御機器が防水機能を有するＥコネクタ内に設けられている。ここで、一般にアルミニウムを含む導体からなる電線については防食処理を施すことが通常であるが、これら電線は防水機能を有するＥコネクタに接続されるため、防食処理を不要とすることができる。
【発明の効果】
【００１６】
本発明によれば、軽量化を図ると共に、配索経路の制限を受け難く、且つ、ワイヤーハーネスの組み付け性や加工性の低下を抑制することが可能なワイヤーハーネスを提供することができる。
【図面の簡単な説明】
【００１７】
【図１】本発明の実施形態に係るワイヤーハーネスを示す構成図である。
【図２】本実施形態に係るワイヤーハーネス及び比較例に係るワイヤーハーネスの回路数と径とを示すグラフである。
【図３】本実施形態に係るワイヤーハーネス及び比較例に係るワイヤーハーネスの回路数と重量とを示すグラフである。
【図４】第２実施形態に係るワイヤーハーネスを示す構成図である。
【図５】図４に示した左側Ｅコネクタの一例を示す分解斜視図である。
【発明を実施するための形態】
【００１８】
以下、本発明の好適な実施形態を図面に基づいて説明するが、本発明は以下の実施形態に限られるものではない。
【００１９】
図１は、本発明の実施形態に係るワイヤーハーネスを示す構成図である。図１に示すように本実施形態に係るワイヤーハーネス１は、バッテリＢからの電力を各種機器Ｅに供給すると共に、各種機器Ｅ同士の信号を伝達するものであって、２つのジャンクションボックス（以下ＪＢと称する）１０と、複数種の電線３０とを備えて構成されている。
【００２０】
なお、本実施形態においては、エンジンコントロールユニット（以下ＥＣＵという）Ｅ１とマルチプレックスインテグレイティッドコントロールユニット（以下ＭＩＣＵという）Ｅ２を機器Ｅとして例示しているが、機器Ｅはこれら以外にも多種多様に設けられている。
【００２１】
２つのＪＢ１０は、電線同士を結合、分岐、及び中継等する保護箱であって、車両の左右に離間して設けられている左側ＪＢ１１と右側ＪＢ１２とから構成されている。また、２つのＪＢ１０の内部には、それぞれ制御基板（制御機器）ＣＳが設けられている。制御基板ＣＳは、ＩＣやマイクロプロセッサ等の電子素子を有し、少なくとも信号の授受を多重通信で行わせることができるものである。
【００２２】
複数種の電線３０は、電源線群３１と、信号線群３２とから構成されている。電源線群３１は、第１及び第２電源線３１ａ，３１ｂにより構成されている。第１電源線３１ａは、バッテリＢから２つのＪＢ１０に対して電力を供給する電線である。第２電源線３１ｂは、２つのＪＢ１０から各種機器Ｅに対して電力供給する電線である。なお、第１及び第２電源線３１ａ，３１ｂは、それぞれが１回路により構成されてもよいし、複数回路により構成されてもよい。
【００２３】
信号線群３２は、信号線３２ａと、幹線３２ｂとから構成されている。信号線３２ａは、２つの制御基板ＣＳと各種機器Ｅとの間で信号伝達を行う電線である。幹線３２ｂは、２つの制御基板ＣＳ間に設けられて多重通信が行われる電線である。なお、幹線３２ｂでは多重通信が行われるため、幹線３２ｂの電線本数（回路数）は、信号線３２ａよりも少なくなっている。なお、幹線３２ｂは、１回路により構成されてもよいし、複数回路により構成されてもよい。
【００２４】
さらに、本実施形態において第１電源線３１ａ、第２電源線３１ｂ、信号線３２ａ及び幹線３２ｂの少なくとも一部はアルミニウムを含む導体により構成されている。これにより、ワイヤーハーネス１の軽量化を図っている。より詳細に本実施形態に係るワイヤーハーネス１は、以下の３パターンのいずれかによって軽量化を図っている。
【００２５】
第１にワイヤーハーネス１は、電源線群３１を構成する電線の少なくとも一部がアルミニウムを含む導体により構成され、且つ、信号線群３２を構成する電線の少なくとも一部がアルミニウムを含む導体により構成されている。例えば第１電源線３１ａを構成する複数本の電線のうちの数本がアルミニウムを含む導体によって構成され、且つ、信号線３２ａを構成する複数本の電線のうちの数本がアルミニウムを含む導体によって構成されている場合などが該当する。また、複数種の電線３０の全てがアルミニウムを含む導体により構成されている場合も該当する。
【００２６】
第２にワイヤーハーネス１は、電源線群３１を構成する電線の少なくとも一部がアルミニウムを含む導体により構成され、信号線群３２を構成する電線がアルミニウムを含まない導体により構成されている。例えば第１電源線３１ａを構成する複数本の電線のうちの数本がアルミニウムを含む導体によって構成され、且つ、信号線３２ａ及び幹線３２ｂの導体が銅によって構成されている場合が該当する。
【００２７】
第３にワイヤーハーネス１は、電源線群３１を構成する電線がアルミニウムを含まない導体により構成され、信号線群３２を構成する電線の少なくとも一部がアルミニウムを含む導体により構成されている。例えば第１電源線３１ａ及び第２電源線３１ｂが銅によって構成され、幹線３２ｂを構成する複数本の電線のうちの数本がアルミニウムを含む導体によって構成されている場合が該当する。
【００２８】
このようなワイヤーハーネス１にあっては、第１電源線３１ａ、第２電源線３１ｂ、信号線３２ａ及び幹線３２ｂの少なくとも一部がアルミニウムを含む導体によって構成されているため、ワイヤーハーネスの全体として軽量化を図ることができる。ここで、ワイヤーハーネス１にアルミニウムを含む導体を用いることによって径の増大が懸念されるが、通常のワイヤーハーネスにおいて各種電線が集合している幹線３２ｂにおいて多重通信を行うことにより回路数を減らして径の増大を抑えることができる。これにより、配索経路の制限を受け難く、且つ、ワイヤーハーネスの組み付け性や加工性の低下を抑制することができる。
【００２９】
次に、本実施形態に係るワイヤーハーネスの回路数、径及び重量について説明する。図２は、本実施形態に係るワイヤーハーネス及び比較例に係るワイヤーハーネスの回路数と径とを示すグラフであり、図３は、本実施形態に係るワイヤーハーネス及び比較例に係るワイヤーハーネスの回路数と重量とを示すグラフである。
【００３０】
比較例に係るワイヤーハーネスは、各電線の導体が銅により構成されておりアルミニウムを含む導体により構成されていない。また、比較例に係るワイヤーハーネスは、幹線３２ｂで多重通信も行っていない。このような比較例に係るワイヤーハーネスは、図２に示すように回路数が例えば３３７であり、径は４０．１ｍｍである。また、図３に示すように、比較例に係るワイヤーハーネスの重量は２．９４ｋｇである。
【００３１】
一方、本実施形態において複数種の電線３０の一部導体をアルミニウムとし残部導体を銅とし、且つ、幹線３２ｂで多重通信を行った場合を実施例１とし、複数種の電線３０の導体全てをアルミニウムとし、且つ、幹線３２ｂで多重通信を行った場合を実施例２とすると、実施例１に係るワイヤーハーネスは、図２に示すように回路数が例えば２２０であり、径は３０．９ｍｍである。また、図３に示すように、実施例１に係るワイヤーハーネスの重量は１．１６ｋｇである。
【００３２】
また、実施例２に係るワイヤーハーネスは、図２に示すように回路数が例えば２２０であり、径は３２．７ｍｍである。また、図３に示すように、実施例２に係るワイヤーハーネスの重量は０．９０ｋｇである。
【００３３】
このようにして、本実施形態に係るワイヤーハーネス１によれば、第１電源線３１ａ、第２電源線３１ｂ、信号線３２ａ及び幹線３２ｂの少なくとも一部はアルミニウムを含む導体によって構成されているため、軽量化を図ることができる。ここで、ワイヤーハーネスにアルミニウムを含む導体を用いることによって径の増大が懸念されるが、通常では各種電線が集合する幹線３２ｂにおいて多重通信を行うことにより回路数を減らして径の増大を抑えることができる。これにより、配索経路の制限を受け難く、且つ、ワイヤーハーネスの組み付け性や加工性の低下を抑制することができる。
【００３４】
また、電源線群３１と信号線群３２とのそれぞれの少なくとも一部がアルミニウムを含む導体により構成されている。ここで、電源線群３１を構成する電線は、信号線群３２を構成する電線よりも一本の径が大きいため、アルミニウムを含む導体により構成した場合には、元々径の大きい電線の径が更に大きくなってしまい、配索経路の制限を受け易くなってしまうが、各種電線が集合する幹線３２ｂにおいて多重通信を行うことにより回路数を減らして径の増大を抑えることができる。さらに、信号線群３２を構成する電線は、電源線群３１を構成する電線よりも本来的に回路数が多いため、アルミニウムを含む導体により構成した場合には、径が増大した電線が束ねられて一層径が大きくなってしまい、配索経路の制限を受け易くなってしまうが、各種電線が集合する幹線３２ｂにおいて多重通信を行うことにより回路数を減らして径の増大を抑えることができる。よって、配索経路の制限を受け難く、且つ、ワイヤーハーネスの組み付け性や加工性の低下を抑制することができる。
【００３５】
また、電源線群３１を構成する電線の少なくとも一部のみがアルミニウムを含む導体により構成されている。ここで、電源線群３１を構成する電線は、信号線群３２を構成する電線よりも一本の径が大きいため、アルミニウムを含む導体により構成した場合には、元々径の大きい電線の径が更に大きくなってしまい、配索経路の制限を受け易くなってしまうが、各種電線が集合する幹線３２ｂにおいて多重通信を行うことにより回路数を減らして径の増大を抑えるため、配索経路の制限を受け難く、且つ、ワイヤーハーネスの組み付け性や加工性の低下を抑制することができる。
【００３６】
また、信号線群３２を構成する電線の少なくとも一部のみがアルミニウムを含む導体により構成されている。ここで、信号線群３２を構成する電線は、電源線群３１を構成する電線よりも本来的に回路数が多いため、アルミニウムを含む導体により構成した場合には、径が増大した電線が束ねられて一層径が大きくなってしまい、配索経路の制限を受け易くなってしまうが、各種電線が集合する幹線３２ｂにおいて多重通信を行うことにより回路数を減らして径の増大を抑えるため、配索経路の制限を受け難く、且つ、ワイヤーハーネスの組み付け性や加工性の低下を抑制することができる。
【００３７】
次に、本発明の第２実施形態を説明する。第２実施形態に係るワイヤーハーネス２は、第１実施形態のものと同様である、構成が一部異なっている。以下、第１実施形態との相違点のみを説明する。
【００３８】
図４は、第２実施形態に係るワイヤーハーネス２を示す構成図である。図４に示すように第２実施形態に係るワイヤーハーネス２は、さらに２つのＥコネクタ２０を備えている。
【００３９】
２つのＥコネクタ２０は、内部にＩＣやマイクロプロセッサ等の電子素子を有した制御基板ＣＳが搭載されるコネクタであって、信号の授受を多重通信で行わせることができるものである。このようなＥコネクタ２０は、車両の左右に離間して設けられている左側Ｅコネクタ２１と右側Ｅコネクタ２２とから構成されている。なお、第２実施形態では制御基板ＣＳがＪＢ１０の外部のＥコネクタ２０内に搭載されるため、ＪＢ１０内には搭載されておらずＪＢ１０自体の小型化を図ることができる。
【００４０】
さらに、信号線３２ａ及び幹線３２ｂはＥコネクタ２０に接続される。なお、第２実施形態において信号線３２ａ及び幹線３２ｂの少なくとも１本は、アルミニウムを含む導体により構成されている。
【００４１】
図５は、図４に示した左側Ｅコネクタ２１の一例を示す分解斜視図である。図５に示すように、左側Ｅコネクタ２１は、雄端子を有する雄コネクタ２１ａと、雌端子を有する雌コネクタ２１ｂとから構成されている。雄コネクタ２１ａには複数本の信号線３２ａが接続されている。また、Ｅコネクタ２０の電子素子は制御機能を発揮して多重通信を行うものであるため、雌コネクタ２１ｂに接続される幹線３２ｂの本数は、複数本の信号線３２ａよりも少なく例えば３本となっている。
【００４２】
さらに、左側Ｅコネクタ２１は、防水機能を有している。詳細に説明すると、左側Ｅコネクタ２１は、防水パッキン２１ｃと、複数のゴムチューブ２１ｄを備えている。防水パッキン２１ｃは、雄コネクタ２１ａに挿入される雌コネクタ２１ｂの周囲に周状に設けられるゴム等の弾性部材である。複数のゴムチューブ２１ｄは、各コネクタ２１ａ，２１ｂの端子収容室内に設けられる筒状の弾性部材（ゴム等）である。筒内側に各信号線３２ａ及び幹線３２ｂが圧入されるものである（図５において信号線３２ａ側のゴムチューブ２１ｄの図示は省略する）。
【００４３】
このような左側Ｅコネクタ２１において、雌コネクタ２１ｂを雄コネクタ２１ａに挿入すると、防水パッキン２１ｃが雄コネクタ２１ａの開口部Ｏの内側に入り込み、雄コネクタ２１ａの内壁部２１ａ’に密着する。さらに、複数のゴムチューブ２１ｄは、円筒内側に各信号線３２ａ及び幹線３２ｂが圧入されると共に、端子収容室の内壁に密着している。このため、左側Ｅコネクタ２１は、その内部に水が浸入しない防水構造となっている。
【００４４】
ここで、一般にアルミニウムを含む導体からなる電線については防食処理を施すことが通常である。このため、防食処理の手間を要するものである。しかし、第２実施形態では、これら電線は防水機能を有するＥコネクタ２０に接続されるため、防食処理を不要とすることができる。
【００４５】
このようにして、第２実施形態に係るワイヤーハーネス２によれば、第１実施形態と同様に、配索経路の制限を受け難く、且つ、ワイヤーハーネスの組み付け性や加工性の低下を抑制することができる。
【００４６】
さらに、第２実施形態によれば、２つの制御基板ＣＳが防水機能を有するＥコネクタ２０内に設けられている。ここで、一般にアルミニウムを含む導体からなる電線については防食処理を施すことが通常であるが、これら電線は防水機能を有するＥコネクタ２０に接続されるため、防食処理を不要とすることができる。
【００４７】
また、ＪＢ１０とは別にＥコネクタ２０を備えていることから、制御基板ＣＳをＥコネクタ２０内に収納でき、ＪＢ１０の小型化についても図ることができる。
【００４８】
以上、実施形態に基づき本発明を説明したが、本発明は上記実施形態に限られるものではなく、本発明の趣旨を逸脱しない範囲で、変更を加えてもよい。
【００４９】
例えば、本実施形態に係るワイヤーハーネス１は２つのＪＢ１０を有しているが、３つ以上ＪＢを有していても、本発明で述べる構成を含んでいれば本発明のワイヤーハーネスであることは言うまでもない。同様に２つのＥコネクタ２０を有しているが、３つ以上Ｅコネクタを有していても、本発明で述べる構成を含んでいれば本発明のワイヤーハーネスであることは言うまでもない。
【符号の説明】
【００５０】
１，２    ：ワイヤーハーネス
１０      ：ジャンクションボックス
２０      ：Ｅコネクタ
３１      ：電源線群
３１ａ    ：第１電源線
３１ｂ    ：第２電源線
３２      ：信号線群
３２ａ    ：信号線
３２ｂ    ：幹線
Ｂ        ：バッテリ
Ｅ        ：機器
【図１】
2016110811.tif 000003
【図２】
2016110811.tif 000004
【図３】
2016110811.tif 000005
【図４】
2016110811.tif 000006
【図５】
2016110811.tif 000007